(57)【要約】【課題】ソーラセルの濃紫色が外部から視認される事態を確実に防止することが可能な電子機器および腕時計を提供すること。【解決手段】下面に光屈折部７０を有する光透過性の時計用文字板７と、この時計用文字板７の下方に設けられたソーラーパネル５との間に、光透過性および光反射性を併有する、無金属蒸着膜６１を有する半透過反射板６とを設けることによって、ソーラーパネルの地色である濃紫色を見え難くし、ソーラセルの濃紫色が外部から視認される事態を確実に防止することができるようにした。【選択図】図３
2012117815.tif 000002
【特許請求の範囲】
【請求項１】
機器ケース内に、当該機器ケースの一端開口側から順に、透明性部材、装飾板およびソーラーパネルが配設されている電子機器において、
前記装飾板は、光透過性を有するとともに、当該装飾板の前記ソーラーパネル側の面に凹凸部からなる光屈折部を有し、
前記装飾板と前記ソーラーパネルとの間には、光透過性および光反射性を併有する半透過反射板が設けられ、この半透過反射板は無金属蒸着膜を有していることを特徴とする電子機器。
【請求項２】
機器ケース内に、当該機器ケースの一端開口側から順に、透明性部材、装飾板、ソーラーパネルおよびアンテナ装置が配設されている電子機器において、
前記装飾板は、光透過性を有するとともに、当該装飾板の前記ソーラーパネル側の面に凹凸部からなる光屈折部を有し、
前記装飾板と前記ソーラーパネルとの間には、光透過性、光反射性および電波透過性を併有する半透過反射板が設けられ、この半透過反射板は無金属蒸着膜を有していることを特徴とする電子機器。
【請求項３】
前記無金属蒸着膜は、前記装飾板と前記ソーラーパネルとの間に設けられた光透過性の基材の前記装飾板側又は前記ソーラーパネル側の面に形成されていることを特徴とする請求項１又は２に記載の電子機器。
【請求項４】
前記半透過反射板に代えて、前記無金属蒸着膜からなる半透過反射部が前記ソーラーパネルの前記装飾板側の面に形成されていることを特徴とする請求項１又は２に記載の電子機器。
【請求項５】
前記無金属蒸着膜は、低屈折率無金属化合物からなる低屈折率無金属化合物層と、前記低屈折率無金属化合物の屈折率よりも高い屈折率を有する高屈折率無金属化合物からなる高屈折率無金属化合物層とを交互に２層以上積層して構成されていることを特徴とする請求項１から４いずれか一項に記載の電子機器。
【請求項６】
前記低屈折率無金属化合物は、フッ化マグネシウム、フッ化カルシウム、一酸化ケイ素、二酸化ケイ素、およびフッ化リチウムから選択された物質であり、前記高屈折率無金属化合物層は、酸化チタン、硫化亜鉛、酸化タンタル、セレン化亜鉛、および二酸化ジルコニウムから選択された物質であることを特徴とする請求項５に記載の電子機器。
【請求項７】
前記無金属蒸着膜は、二酸化ケイ素膜と二酸化ジルコニウム膜とを交互に積層した４層構成となっていることを特徴とする請求項５に記載の電子機器。
【請求項８】
下面に凹凸部からなる光屈折部を有する光透過性の時計用文字板と、
この時計用文字板の下方に設けられたソーラーパネルと、
前記時計用文字板と前記ソーラーパネルとの間に設けられた、光透過性および光反射性を併有する半透過反射部とを備えており、
前記半透過反射板は無金属蒸着膜を有していることを特徴とする腕時計。
【請求項９】
下面に凹凸部からなる光屈折部を有する光透過性の時計用文字板と、
この時計用文字板の下方に設けられたソーラーパネルと、
このソーラーパネルの下方に設けられたアンテナ装置と、
前記時計用文字板と前記ソーラーパネルとの間に設けられた、光透過性、光反射性および電波透過性を併有する半透過反射板とを備えており、
前記半透過反射板は無金属蒸着膜を有していることを特徴とする腕時計。
【請求項１０】
前記無金属蒸着膜は、前記文字板と前記ソーラーパネルとの間に設けられた光透過性の基材の前記文字板側又は前記ソーラーパネル側の面に形成されていることを特徴とする請求項８又は９に記載の腕時計。
【請求項１１】
前記半透過反射板に代えて、前記無金属蒸着膜からなる半透過反射部が前記ソーラーパネルの前記装飾板側の面に形成されていることを特徴とする請求項８又は９に記載の腕時計。
【請求項１２】
前記無金属蒸着膜は、低屈折率無金属化合物からなる低屈折率無金属化合物層と、前記低屈折率無金属化合物の屈折率よりも高い屈折率を有する高屈折率無金属化合物からなる高屈折率無金属化合物層とを交互に２層以上積層して構成されていることを特徴とする請求項８から１１いずれか一項に記載の腕時計。
【請求項１３】
前記低屈折率無金属化合物は、フッ化マグネシウム、フッ化カルシウム、一酸化ケイ素、二酸化ケイ素、およびフッ化リチウムから選択された物質であり、前記高屈折率無金属化合物層は、酸化チタン、硫化亜鉛、酸化タンタル、セレン化亜鉛、および二酸化ジルコニウムから選択された物質であることを特徴とする請求項１１に記載の腕時計。
【請求項１４】
前記無金属蒸着膜は、二酸化ケイ素膜と二酸化ジルコニウム膜とを交互に積層した４層構成となっていることを特徴とする請求項１２に記載の腕時計。
【発明の詳細な説明】
【技術分野】
【０００１】
本発明は、ソーラーパネルを備えた電子機器および腕時計に関するものである。
【背景技術】
【０００２】
ソーラーパネル付き腕時計においては、文字板の裏側にソーラーパネルが設置されている。そのため、文字板を光透過性部材で構成し、外部光を、表面側の文字板を通してソーラーパネルまで導く必要がある。しかし、ソーラーパネルの地色は独特の濃紫色を有しており、文字板を光透過性部材で形成すると、時計ガラスの外部からソーラーパネルの地色である濃紫色が視認されてしまう。
そこで、従来、文字板の下面にプリズム反射面を形成するとともに、文字板の裏側に反射型偏光板を設け、反射型偏光板の裏側に設けたソーラーパネルの濃紫色を消し去り、これによりソーラーパネルの濃紫色が時計ガラスの外部から視認し難くするように構成した腕時計が知られている（例えば、特許文献１）。
【先行技術文献】
【特許文献】
【０００３】
【特許文献１】特開２００５−１８９０１９号公報
【発明の概要】
【発明が解決しようとする課題】
【０００４】
上記特許文献１に記載の発明によれば、プリズム反射面と反射型偏光板の相互作用によって、ソーラーパネルの地色の濃紫色を時計ガラスの外部から視認し難くするものであるが、見る角度によっては、地色の濃紫色が視認でき、完全に、見えなくすることは困難であった。
本発明の課題は、ソーラセルの濃紫色が外部から視認される事態を確実に防止することが可能な電子機器および腕時計を提供することにある。
【課題を解決するための手段】
【０００５】
請求項１の発明は、
機器ケース内に、当該機器ケースの一端開口側から順に、透明性部材、装飾板およびソーラーパネルが配設されている電子機器において、
前記装飾板は、光透過性を有するとともに、当該装飾板の前記ソーラーパネル側の面に凹凸部からなる光屈折部を有し、
前記装飾板と前記ソーラーパネルとの間には、光透過性および光反射性を併有する半透過反射板が設けられ、この半透過反射板は無金属蒸着膜を有していることを特徴とする電子機器である。
【０００６】
請求項２の発明は、
機器ケース内に、当該機器ケースの一端開口側から順に、透明性部材、装飾板、ソーラーパネルおよびアンテナ装置が配設されている電子機器において、
前記装飾板は、光透過性を有するとともに、当該装飾板の前記ソーラーパネル側の面に凹凸部からなる光屈折部を有し、
前記装飾板と前記ソーラーパネルとの間には、光透過性、光反射性および電波透過性を併有する半透過反射板が設けられ、この半透過反射板は無金属蒸着膜を有していることを特徴とする電子機器である。
【０００７】
請求項３の発明は、請求項１又は２に記載の電子機器であって、前記無金属蒸着膜は、前記装飾板と前記ソーラーパネルとの間に設けられた光透過性の基材の前記装飾板側又は前記ソーラーパネル側の面に形成されていることを特徴とする。
【０００８】
請求項４の発明は、請求項１又は２に記載の電子機器であって、前記半透過反射板に代えて、前記無金属蒸着膜からなる半透過反射部が前記ソーラーパネルの前記装飾板側の面に形成されていることを特徴とする。
【０００９】
請求項５の発明は、請求項１から４いずれか一項に記載の電子機器であって、前記無金属蒸着膜は、低屈折率無金属化合物からなる低屈折率無金属化合物層と、前記低屈折率無金属化合物の屈折率よりも高い屈折率を有する高屈折率無金属化合物からなる高屈折率無金属化合物層とを交互に２層以上積層して構成されていることを特徴とする。
【００１０】
請求項６の発明は、請求項５に記載の電子機器であって、前記低屈折率無金属化合物は、フッ化マグネシウム、フッ化カルシウム、一酸化ケイ素、二酸化ケイ素、およびフッ化リチウムから選択された物質であり、前記高屈折率無金属化合物層は、酸化チタン、硫化亜鉛、酸化タンタル、セレン化亜鉛、および二酸化ジルコニウムから選択された物質であることを特徴とする。
【００１１】
請求項７の発明は、請求項５に記載の電子機器であって、前記無金属蒸着膜は、二酸化ケイ素膜と二酸化ジルコニウム膜とを交互に積層した４層構成となっていることを特徴とする。
【００１２】
請求項８の発明は、
下面に凹凸部からなる光屈折部を有する光透過性の時計用文字板と、
この時計用文字板の下方に設けられたソーラーパネルと、
前記時計用文字板と前記ソーラーパネルとの間に設けられた、光透過性および光反射性を併有する半透過反射板とを備えており、
前記半透過反射板は無金属蒸着膜を有していることを特徴とする腕時計である。
【００１３】
請求項９の発明は、
下面に凹凸部からなる光屈折部を有する光透過性の時計用文字板と、
この時計用文字板の下方に設けられたソーラーパネルと、
このソーラーパネルの下方に設けられたアンテナ装置と、
前記時計用文字板と前記ソーラーパネルとの間に設けられた、光透過性、光反射性および電波透過性を併有する半透過反射板とを備えており、
前記半透過反射板は無金属蒸着膜を有していることを特徴とする腕時計である。
【００１４】
請求項１０の発明は、請求項８又は９に記載の腕時計であって、前記無金属蒸着膜は、前記文字板と前記ソーラーパネルとの間に設けられた光透過性の基材の前記文字板側又は前記ソーラーパネル側の面に形成されていることを特徴とする。
【００１５】
請求項１１の発明は、請求項８又は９に記載の腕時計であって、前記半透過反射板に代えて、前記無金属蒸着膜からなる半透過反射部が前記ソーラーパネルの前記装飾板側の面に形成されていることを特徴とする。
【００１６】
請求項１２の発明は、請求項８から１１いずれか一項に記載の腕時計であって、前記無金属蒸着膜は、低屈折率無金属化合物からなる低屈折率無金属化合物層と、前記低屈折率無金属化合物の屈折率よりも高い屈折率を有する高屈折率無金属化合物からなる高屈折率無金属化合物層とを交互に２層以上積層して構成されていることを特徴とする。
【００１７】
請求項１３の発明は、請求項１２に記載の腕時計であって、前記低屈折率無金属化合物は、フッ化マグネシウム、フッ化カルシウム、一酸化ケイ素、二酸化ケイ素、およびフッ化リチウムから選択された物質であり、前記高屈折率無金属化合物層は、酸化チタン、硫化亜鉛、酸化タンタル、セレン化亜鉛、および二酸化ジルコニウムから選択された物質であることを特徴とする。
【００１８】
請求項１４の発明は、請求項１２に記載の腕時計であって、前記無金属蒸着膜は、二酸化ケイ素膜と二酸化ジルコニウム膜とを交互に積層した４層構成となっていることを特徴とする。
【発明の効果】
【００１９】
本発明によれば、無金属蒸着膜が光の一部しか透過させず、光屈折部によって光が屈折されるので、ソーラーパネルの地色である濃紫色が見え難くなる上、無金属蒸着膜が固有の色を有するので、ソーラセルの濃紫色が外部から視認される事態を確実に防止することができる。
また、本発明によれば、装飾板とソーラーパネルとの間に、光透過性、光反射性のほかに電波透過性を併有する半透過反射部が設けられているので、アンテナ装置による良好な電波受信感度を保ちながら、凹凸部からなる光屈折部による光屈折作用と半透過反射部による光反射作用との相乗効果により、ソーラセルの濃紫色が外部から視認される事態を確実に防止することができる。
【図面の簡単な説明】
【００２０】
【図１】第１の実施形態に係る腕時計における腕時計本体の平面図である。
【図２】図１の腕時計本体のII−II線に沿った断面図である。
【図３】図２の腕時計本体内の文字板、半透過反射板およびソーラーパネルの一部断面図である。
【図４】図３の文字板を示す図であり、（Ａ）は文字板を側方から見た場合の一部断面図、（Ｂ）は文字板の光屈折部の構成を示す底面図である。
【図５】図３の半透過反射板の拡大断面図である。
【図６】第２の実施形態に係る腕時計における半透過反射板の拡大断面図である。
【図７】第３の実施形態に係る腕時計における腕時計本体内の文字板、半透過反射板およびソーラーパネルの一部断面図である。
【図８】図６の半透過反射板の拡大断面図である。
【図９】第４の実施形態に係る腕時計における腕時計本体内の文字板、半透過反射板およびソーラーパネルの一部断面図である。
【発明を実施するための形態】
【００２１】
［第１の実施形態］
以下、図１から図５を参照して、第１の実施形態について説明する。この第１の実施形態の物品は、電子機器の一例としての腕時計である。
図１は、第１の実施形態に係る腕時計における腕時計本体の平面図、図２は、腕時計本体を側面から見た場合の一部断面図である。
図１および図２に示すように、腕時計１の腕時計ケース１Ａの上面には透明性部材である時計ガラス２が装着され、下面には裏蓋３が防水リング３ａを介して装着されている。腕時計ケース１Ａの内部には時計モジュール４が収納されている。そして、腕時計ケース１Ａの内部には、時計モジュール４の上に、ソーラーパネル５、半透過反射板６および文字板７が下からこの順に設けられている。この時計モジュール４、ソーラーパネル５、半透過反射板６および文字板７は、腕時計ケース１Ａの内部において、下方の押えリング８と、上方の見切りカバー９とによって挟持された形で設けられている。
また、腕時計ケース１Ａの内部には、時計モジュール４の下方にアンテナ装置１０と、このアンテナ装置１０に接続された２次電池１１とが設けられている。
なお、腕時計ケース１Ａの内部において、指針軸１２は、ソーラーパネル５、半透過反射板６および文字板７に形成された貫通孔１３を通してその上方に突出し、この突出した指針軸１２の上部に時針、分針および秒針などの指針１４が取り付けられている。
【００２２】
図３は、腕時計本体１Ａ内の文字板７、半透過反射板６およびソーラーパネル５の一部断面図である。
ここで、時計ガラス２の下方に設けられた文字板７は装飾板を構成している。この文字板７は、透明または半透明のガラスや合成樹脂から板状に形成され、光透過性を有している。この文字板７の下面には光屈折部７０が形成されている。
図４（Ａ）は文字板７を側方から見た一部省略断面図、図４（Ｂ）は文字板７の底面図である。
文字板７の光屈折部７０は、サークル状に形成された山部７０ａと、当該山部７０ａと隣り合う山部７０ａとの間に位置するＶ字状の谷部７０ｂとの凹凸部から形成されている。この山部７０ａと谷部７０ｂを形成する傾斜面は光沢面を形成し、反射面として機能する。なお、光屈折部７０は、スパイラル状に形成されていてもよい。また、光屈折部７０は、例えば多数の角錐状又は円錐状の小プリズムで形成されていてもよい。光屈折部７０に要求されるのは、光屈折機能と光反射機能である。この光屈折機能および光反射機能によって、ソーラーパネル５の地色を見え難くするとともに、ソーラーパネル５に向かう光の量を可及的に増加させることができる。
なお、文字板７の上面には、マット調の印刷７１が施されている。或いは、文字板７の上面は、印刷７１に代えて、文字板７の生地の上面を梨地とすることもできる。
【００２３】
また、文字板７の下方に設けられた半透過反射板６は、光透過性の基材６０と、この基材６０の文字板７側に形成された半透過反射部である無金属蒸着膜６１とから構成されている。ここで「無金属蒸着膜」とは、金属に比べて、電波の遮蔽程度が著しく低く、電波を高いレベルで透過させる非導電体、誘電体、無機または非金属などの各種の材料を用いて蒸着された蒸着膜を意味している。
このうち基材６０は透明または半透明のガラスや合成樹脂から板状に形成されている。
一方、無金属蒸着膜６１は、図５に示すように、低屈折率無金属化合物からなる低屈折率無金属化合物層６１ａと、この低屈折率無金属化合物の屈折率よりも高い屈折率を有する高屈折率無金属化合物からなる高屈折率無金属化合物層６１ｂとを交互に４層積層した層構成を有している。
具体的には、低屈折率無金属化合物としては、フッ化マグネシウム、フッ化カルシウム、一酸化ケイ素、二酸化ケイ素、およびフッ化リチウムから選択された物質が挙げられ、高屈折率無金属化合物層としては、酸化チタン、硫化亜鉛、酸化タンタル、セレン化亜鉛、および二酸化ジルコニウムから選択された物質が挙げられる。
このように無金属蒸着膜６１を低屈折率無金属化合物層６１ａと高屈折率無金属化合物層６１ｂとで形成することによって、光の干渉作用が生じ、見る角度によって異なる干渉色を発生する。また、特定の波長を選択的に反射し、層構成によって定まる特有の色彩を発する。その結果、この特有の色彩と干渉色により高い装飾性を発揮する。
例えば、低屈折率無金属化合物層６１ａを二酸化ケイ素（ＳｉＯ２）膜から形成し、一方、高屈折率無金属化合物層６１ｂを二酸化ジルコニウム（ＺｒＯ２）膜から形成したものについて言えば、時計ガラス２側から見た色を銀色（シルバー色）とすることができる。この場合、４層積層した層構成を有するものでは、全体の厚さを数十ｎｍ〜数百ｎｍとすればよい。具体的には、電波透過性を妨げることがなく、ソーラーパネル５の地色である濃紫色を確実に消すためには、全体の厚さを１２０ｎｍ±２０ｎｍとすることが好ましい。
なお、ここでは、無金属蒸着膜６１を４層構成としているが、４層に限定されるものではなく、１層から３層、或いは、５層以上としてもよい。
【００２４】
上記第１の実施形態の腕時計１によれば次のような効果を得ることができる。
【００２５】
すなわち、無金属蒸着膜６１が光の一部しか透過させず、光屈折部７０によって光が屈折されるので、ソーラーパネル５の地色である濃紫色が見え難くなる上、無金属蒸着膜６１が固有の色を有するので、無金属蒸着膜が固有の色を有するので、ソーラセルの濃紫色が外部から視認される事態を確実に防止することができる。
また、半透過反射板６の半透過反射部を無金属蒸着膜６１としているので、電波透過性を妨げることがなく、電波受信特性に優れた腕時計を得ることができる。
また、無金属蒸着膜６１は層構成に起因した固有の色を有するため、時計ガラス２側から見た色を所望の色とすることができる。この実施の態様の場合、低屈折率無金属化合物層６１ａを二酸化ケイ素（ＳｉＯ２）膜から形成し、一方、高屈折率無金属化合物層６１ｂを二酸化ジルコニウム（ＺｒＯ２）膜から形成しているので、時計ガラス２側から見た色を銀色（シルバー色）とすることができ、高級感のある文字板、高級感のある腕時計とすることができる。
【００２６】
［第２の実施形態］
次に、図６を参照して、第２の実施形態について説明する。
図６は、第２の実施形態に係る腕時計における半透過反射板の拡大断面図である。
この第２の実施形態の腕時計１は半透過反射板６Ａが基材６０と無金属蒸着膜６１とから構成されている点では第１の実施形態の腕時計１の半透過反射板６と同じとなっている。
しかし、この第２の実施形態の腕時計１では、半透過反射板６Ａにおける無金属蒸着膜６１が基材６０の下面に形成されている点で第１の実施形態の腕時計１とは異なっている。
その他の点では、第２の実施形態の腕時計１は第１の実施形態の腕時計１と同じ構成となっているため、その説明および図示は省略する。
【００２７】
この第２の実施形態の腕時計１によれば、第１の実施形態の腕時計１と同様な効果が得られることは勿論のこと、文字板７の下方に配置される基材６０の下面に無金属蒸着膜６１が形成されているため、無金属蒸着膜６１は、平面であるソーラーパネル５に面で当接することはあっても、文字板７の光屈折部７０の尖った山部７０ａには当接することがないので、無金属蒸着膜６１の擦傷が防止される。
【００２８】
［第３の実施形態］
次に、図７および図８を参照して、第３の実施形態について説明する。
図７は、第３の実施形態に係る腕時計における腕時計本体内の文字板、半透過反射板およびソーラーパネルの一部断面図、図７は、半透過反射板の拡大断面図である。
この第３の実施形態の腕時計１は、半透過反射部６Ｂが無金属蒸着膜６１だけで構成され、この無金属蒸着膜６１がソーラーパネル５と一体的となっている点で、第１の実施形態の腕時計１と異なっている。
すなわち、この第３の実施形態の腕時計１では、ソーラーパネル５が第１の実施形態の腕時計１の基材６０の代わりとして使用されている。
その他の点では、第３の実施形態の腕時計１は第１の実施形態の腕時計１と同じ構成となっているため、その説明および図示は省略する。
【００２９】
この第３の実施形態の腕時計１によれば、第１の実施形態の腕時計１と同様な効果が得られることは勿論のこと、ソーラーパネル５の上に直接に無金属蒸着膜６１が形成されているため、無金属蒸着膜６１を担持するのに特別な基材を必要としないことから、部品点数を減らすことができるとともに、ソーラーパネル５と文字板７との距離を狭めることができ、腕時計１を薄型化することが可能である。
【００３０】
［第４の実施形態］
次に、図９を参照して、第４の実施形態について説明する。
図９は、第４の実施形態に係る腕時計における腕時計本体内の文字板、半透過反射板およびソーラーパネルの一部断面図である。
この第４の実施形態の腕時計１は、半透過反射部６Ｃを積層フィルム６２で形成したものである。この積層フィルム６２は、光の屈折率が異なる可塑性樹脂層を厚み方向に交互に３０層以上積層したものである。
この積層フィルム６２の具体例としては、波長４００〜１０００ｎｍにおける反射率が３０％以上である東レ株式会社製の商品名ピカサスなどを挙げることができる。また、積層フィルム６２の具体例としては、特開２００８−２００８６１に記載されている積層フィルムを用いることができる。
その他の点では、第１の実施形態の腕時計と同じ構成となっているため、その説明および図示は省略する。
【００３１】
この第４の実施形態の腕時計１によれば、第１の実施形態の腕時計１と同様に、ソーラーパネル５の濃紫色を効果的に消すことができる。
【００３２】
以上、本発明の実施形態について説明したが、本発明は、かかる実施形態に限定されるものではなく、その要旨を逸脱しない範囲で種々の変形が可能である。
例えば、実施形態では、低屈折率無金属化合物と高屈折率無金属化合物層とを組み合わせて半透過反射板または半透過反射部を構成しているが、低屈折率無金属化合物と高屈折率無金属化合物層とのほかに、中屈折率無金属化合物のアルミナなどの中屈折率無金属化合物層をも組み合わせて半透過反射板または半透過反射部を構成していても良い。すなわち、低屈折率無金属化合物と中屈折率無金属化合物とを組み合わせたり、高屈折率無金属化合物と中屈折率無金属化合物とを組み合わせて半透過反射板または半透過反射部を構成しても良い。
また、上記実施形態では、電子機器の一例としての腕時計について説明したが、本発明は、腕時計ケース１Ａに相当する機器ケース、時計ガラス２に相当する透明性部材、文字板７に相当する装飾板、ソーラーパネルを備える電子機器、さらに、それらに加えてアンテナ装置を備える電子機器一般に適用できる。
【符号の説明】
【００３３】
１  腕時計
１Ａ  腕時計ケース
２  時計ガラス
５  ソーラーパネル
６，６Ａ  半透過反射板
６Ｂ，６Ｃ  半透過反射部
６１  基材
６２  無金属蒸着膜
６２ａ  低屈折率無金属化合物層
６２ｂ  高屈折率無金属化合物層
７  文字板
１０  アンテナ装置
【図１】
2012117815.tif 000003
【図２】
2012117815.tif 000004
【図３】
2012117815.tif 000005
【図４】
2012117815.tif 000006
【図５】
2012117815.tif 000007
【図６】
2012117815.tif 000008
【図７】
2012117815.tif 000009
【図８】
2012117815.tif 000010
【図９】
2012117815.tif 000011